(57)【要約】【課題】一体感のある外観性を確保するとともにいろいろな吐水形態を楽しむことができ、さらにボディシャワーの吐水角度を立つ位置や、好みの位置に簡単に調整できる吐水装置を提供することを目的とする。【解決手段】吐水部に通ずる通水部とこの通水部に隣接して設けられた第２吐水部とを備え、第２吐水部は、前記通水部と略平行の軸に対して回転可能に設け、かつ、この回転範囲は、第２吐水部が回転して前記通水部に当接することで規制される吐水装置とした。【選択図】　図１０
2004073328.tif 000002
【特許請求の範囲】
【請求項１】
吐水部に通ずる通水部とこの通水部に隣接して設けられた第２吐水部とを備え、第２吐水部は、前記通水部と略平行の軸に対して回転可能に設け、かつ、この回転範囲は、第２吐水部が回転して前記通水部に当接することで規制されることを特徴とする吐水装置。
【請求項２】
上下方向に延設されたパイプの側面の上下方向に複数の吐水口を有する第２吐水部を設け、かつ、このパイプ内には第２吐水部とは異なる吐水部に通ずる通水部を備えてなり、さらにこの第２吐水部はパイプの周方向に回転可能に設け、かつ、この回転範囲は、第２吐水部が回転して前記通水部に当接することで規制されることを特徴とする吐水装置。
【請求項３】
上下方向に延設された１本のパイプの裏側に、給水管および給湯管との接続部を上下に配置して設け、かつ、この給水管および給湯管との接続部を通過した湯水を混合する湯水混合部を、湯水混合部の長手方向が縦向きとなるようにパイプに配置し、さらに、このパイプに湯水混合部と流量調整弁を介して連通する吐水部と第２吐水部とを形成し、かつ、第２吐水部をパイプの周方向に回転可能に構成したことを特徴とする吐水装置。
【請求項４】
前記第２吐水部は、複数の吐水口を備え、それらの吐水口の吐水角度をそれぞれ独立して調整できるように構成したことを特徴とする請求項１乃至３のいずれか１つに記載の吐水装置。
【請求項５】
前記パイプに配置した吐水部の後方のパイプ内に他方の吐水部に連通する通水部を設け、さらに第２吐水部が回転して前記通水部に当接することで規制されることを特徴とする請求項３または４記載の吐水装置。
【請求項６】
前記の第２吐水部は、この第２吐水部を設けた部分のパイプ部を回転させることにより、第２吐水部を形成する複数の吐水口を一度に回転可能に形成したことを特徴とする請求項３乃至５のいずれか１つに記載の吐水装置
【発明の詳細な説明】
【０００１】
【発明の属する技術分野】
本発明は、いろいろなシャワー形態を楽しめる吐水装置に関する。
【０００２】
【従来の技術】
いろいろなシャワー形態を楽しめる吐水装置としては、実開昭６３−１９７４８８号がある。
この吐水装置は、給水管と給湯管が同高さに壁から取り出され、それに湯水混合栓が接続されている。そして、この湯水混合栓の裏面側にハンドシャワーノズルに連通したシャワーホースを接続し、さらに湯水混合栓から立ち上げた給湯管に対して横方向にボディシャワー部を設けている。そして、このボディーシャワー部からもシャワーを吐水することができるようになっている。なお、ボディーシャワーとは、使用者の胸部にシャワーするのに良好なシャワ−を言う。
【０００３】
【発明が解決しようとする課題】
しかしながら、これらのシャワーホースの床への垂れ下がりに対して配慮した吐水装置やいろいろなシャワー形態を持つ吐水装置は、湯水混合栓からの立ち上げ給湯管（垂直方向に配置）に対して、湯水混合栓、分岐部やボディーシャワー装置など（水平方向に配置）がクロスして配置されており、吐水装置として一体感がなく、また、外観形状が複雑となり清掃性が悪いといった問題点がある。
【０００４】
また、シャワーの吐水角度の調整としては、実公平４−８１６６２（第３図）などに開示がある。
しかしながら、この角度調整をボディシャワーなどの複数の吐水部に設けた場合、ここの吐水部を操作しなければならず、使い勝手が良好とは言い難かった。
さらに、使用者が立つ位置により、ボディシャワーの吐水角度を左右広範囲に調整することができないという問題があった。
【０００５】
そこで、本発明では上記の問題点を解決するため、一体感のある外観性を確保するとともにいろいろな吐水形態を楽しむことができ、さらに吐水角度を立つ位置や、好みの位置に簡単に調整できる吐水装置を提供することを目的とする。
【０００６】
【課題を解決するための手段】
本発明の請求項１では、吐水部に通ずる通水部とこの通水部に隣接して設けられた第２吐水部とを備え、第２吐水部は、前記通水部と略平行の軸に対して回転可能に設け、かつ、この回転範囲は、第２吐水部が回転して前記通水部に当接することで規制されることを特徴とする吐水装置とした。
【０００７】
これにより、吐水部と第２吐水部とを備えているため、複数の吐水形態を楽しむことができる。
さらに、使用者が立つ位置により、第２吐水部を回転させることで、吐水角度を左右広範囲に調整することができる。特に、本発明では、通水部によって回転角度を規制することができるので部品点数を低減して吐水装置全体をコンパクトにすることができる。また、回転範囲を所定の範囲に規制することで、前の使用者が回転させた状態のままにしたとしても、使用者から見えない位置に吐水部が隠れてしまうおそれがなく、次の使用者が吐水部を確認しやすく、使用するのに戸惑うことがない。
【０００８】
本発明の請求項２では、上下方向に延設されたパイプの側面の上下方向に複数の吐水口を有する第２吐水部を設け、かつ、このパイプ内には第２吐水部とは異なる吐水部に通ずる通水部を備えてなり、さらにこの第２吐水部はパイプの周方向に回転可能に設け、かつ、この回転範囲は、第２吐水部が回転して前記通水部に当接することで規制されることを特徴とする吐水装置とした。
【０００９】
これにより、吐水部と第２吐水部とを備えることで、複数の吐水形態を楽しむことができる。
また、上下方向の吐水範囲は複数の吐水口によって確保し、左右の吐水範囲は周方向の回転によって確保することができる。
特に、本発明では、通水部によって回転角度を規制することができるので部品点数を低減して吐水装置全体をコンパクトにすることができる。そして、パイプ内に収めることで外観性・清掃性を高めることができる。
また、回転範囲を所定の範囲に規制することで、前の使用者が回転させた状態のままにしたとしても、使用者から見えない位置に吐水部が隠れてしまうおそれがなく、次の使用者が吐水部を確認しやすく、使用するのに戸惑うことがない。
【００１０】
本発明の請求項３では、上下方向に延設された１本のパイプの裏側に、給水管および給湯管との接続部を上下に配置して設け、かつ、この給水管および給湯管との接続部を通過した湯水を混合する湯水混合部を、湯水混合部の長手方向が縦向きとなるようにパイプに配置し、さらに、このパイプに湯水混合部と流量調整弁を介して連通する吐水部と第２吐水部とを形成し、かつ、第２吐水部をパイプの周方向に回転可能に構成したことを特徴とする吐水装置とした。
【００１１】
これにより、主として１本の縦長のパイプ内に湯水混合部ならびに吐水部を形成しているため、従来のように、湯水混合部と他の吐水部とが別々に配置したり、湯水混合部が横方向に長く延設し、吐水部が縦方向に長く延設して外観が複雑形状となることもないため、一体感のある外観性を確保することができ、また、清掃しやすく、総合的に使用者に快適性を提供することができる。
さらに、吐水部と第２吐水部とを備えることで、複数の吐水形態を楽しむことができるとともに、第２吐水部が回転するため、立つ位置により吐水角度を左右に調整することができる。
【００１２】
本発明の請求項４では、前記第２吐水部は、パイプの側面に複数の吐水口を備え、それらの吐水口の吐水角度をそれぞれ独立して調整できるように構成したことを特徴とする請求項１乃至３のいずれか１つに記載の吐水装置とした。
【００１３】
これにより、第２吐水部の回転機構に加え、吐水口自体が独立して吐水角度を調整できるため、身長や使用者の好みに応じて、吐水角度を微調整することができ、使用勝手を向上することができる。
【００１４】
本発明の請求項５では、前記パイプに配置した吐水部の後方のパイプ内に他方の吐水部に連通する通水部を設け、さらに第２吐水部が回転して前記通水部に当接することで規制されることを特徴とする請求項３または４記載の吐水装置とした。
【００１５】
これにより、通水部によって回転角度を規制することができるので部品点数を低減して吐水装置全体をコンパクトにすることができる。そして、パイプ内に収めることで外観性・清掃性を高めることができる。
また、回転範囲を所定の範囲に規制することで、回転させた状態のままであっても、次の使用者が吐水部を確認しやすく、使用するのに戸惑うことがない。
【００１６】
本発明の請求項６では、前記の第２吐水部は、この第２吐水部を設けた部分のパイプ部を回転させることにより、第２吐水部を形成する複数の吐水口を一度に回転可能に形成したことを特徴とする請求項３乃至５のいずれか１つに記載の吐水装置とした。
【００１７】
これにより、複数の吐水口の吐水角度調整を一度にすることができ、使用勝手がよい。
特に、複数の吐水口を上下広範囲に設けているため、回転できるパイプ部を広範囲とすることで、操作性を良くする事ができる。そのため、背の低い使用者は下側の方のパイプ部を操作し、また背の高い使用者は、上側の方のパイプ部を操作することで自分の好みに合わせて吐水方向を変えるようにパイプ部を回転させることができる。
【００１８】
【発明の実施の形態】
本発明の吐水装置は、吐水部に通ずる通水部とこの通水部に隣接して設けられた第２吐水部とを備え、第２吐水部は、前記通水部と略平行の軸に対して回転可能に設けている。
また、この吐水装置は、上下方向に延設されたパイプの側面の上下方向に複数の吐水口を有する第２吐水部を設け、かつ、このパイプ内には第２吐水部とは異なる吐水部に通ずる通水部を備えてた吐水装置や、上下方向に延設された１本のパイプの裏側に、給水管および給湯管との接続部を上下に配置して設け、かつ、この給水管および給湯管との接続部を通過した湯水を混合する湯水混合部を、湯水混合部の長手方向が縦向きとなるようにパイプに配置し、さらに、このパイプに湯水混合部と流量調整弁を介して連通する吐水部と第２吐水部とを形成した吐水装置にも適用することができる。
そして、さらに、第２吐水部の回転範囲は、第２吐水部が回転して他の吐水部へ通じる通水部に当接することで規制されるように構成される。
【００１９】
以下に図面を参照して本発明をより具体的に説明する。
なお、ここでは、吐水装置がシャワー装置１であり、吐水部がハンドシャワーノズル３やヘッドシャワーノズル４であり、第２吐水部がボディーシャワー５である場合を例に挙げて説明する。
図１に本発明のシャワー装置１の外観図を示す。
このシャワー装置１は、上下方向に伸び延設する１本のパイプ６に対して、湯水混合部７と複数の吐水部を備えている。
そして、このパイプ６は、全長に亘り、ほぼ同一径の外観形状としており、かつ、内径は湯水混合部７の外径と略同一径としている。
なお、ここでいう１本のパイプ６とは、複数本のパイプを継ぎ足して１本のパイプとする場合も含む。
図１のシャワー装置１においては、吐水部は、カラン２とハンドシャワーノズル３とヘッドシャワーノズル４から構成されている。そして第２吐水部は、ボディーシャワー５から構成されている。
そして、湯水混合部７を挟んで、下方にカラン２を設置し、上方にボディーシャワー５、ハンドシャワーノズル３とヘッドシャワーノズル４とを設置している。
湯水混合部７の下方に温度調整ハンドル８を設け、さらにその下にカラン２が設置している。
そして、湯水混合部７の上方には、シャワー用流量調整ハンドル１０とボディシャワー用流量調整ハンドル１４が設けられている。
なお、湯水混合部７の横には、フック２３を膨出して設けている。
図２は、図１のシャワー装置１を浴室のカウンター２２上に設置した場合の使用状態図を示している。
なお、図示しないが、浴室の洗い場やシャワールームの床から立ち上げるようにしてもよい。
【００２０】
図３のシャワー装置１において、吐水部は、ハンドシャワーノズル３とヘッドシャワーノズル４から構成されている。第２吐水部は、ボディシャワーノズル５から構成されている。つまり、図３は、図１，２におけるシャワー装置１のカラン２を取り付けていない場合の実施例である。
そして、湯水混合部７の上方に吐水部が位置するように構成されている。
図３のシャワー装置１においては、シャワールームなどの立って使用する場合に好適と言える。
【００２１】
次に、図４は、給水管と給湯管の接続部１７、１８から流れてきた湯水が湯水混合部７で適温に混合されて、この湯水混合部７から各吐水部までの通水経路を示している。
図４では、壁から給水管と給湯管を室内に取込んだ場合を示しているが、床から給水管と給湯管を立ち上げた場合も同様である。
まず、給水管と給湯管の接続部１７、１８から供給された湯水は、湯水混合部７で混合される。
また、この湯水混合部７の下方に隣接して配置した温度調整ハンドル８を周方向に回転させて湯温を調整する。
この湯水混合部７で適温になった湯水は、各吐水部２、３、４、５の流量調整弁まで各通水部Ａ、Ｂ、Ｃを経由して送られる。
つまり、湯水混合部７の上方のパイプ６内において、カラン２用の通水部Ａと、ボディシャワーノズル５用の通水部Ｃと、ハンドシャワーノズル３及びヘッドシャワーノズル４用の通水部Ｂとに通水部を３分岐されている。また、ボディシャワーノズル５を設けたパイプ６部において、ボディシャワーノズル５用の通水部Ｃと、ハンドシャワーノズル３及びヘッドシャワーノズル４用の通水部Ｂとの２経路が設けられている。
そして、各流量調整弁を開くことで、それに連通した吐水部から吐水が開始される。
なお、ハンドシャワーノズル３とヘッドシャワーノズル４との吐水においては、切替えハンドル１１により、どちらか一方を選択するようにしている。
【００２２】
図５乃至図６に示したように、湯水混合部７ならびに各吐水部、さらに各吐水部２、３、４、５、への通水部Ａ、Ｂ、Ｃは、ユニットとして形成している。
このように各ユニットにて構成されているため、必要な吐水部だけを選択して湯水混合部７に接続することができる。
そのため、図１のように各ユニットを組み立てることで、カラン２、ハンドシャワーノズル３、ヘッドシャワーノズル４、ボディシャワーノズル５から選択して吐水することができ、また図３のように各ユニットを組み立てることで、ボディシャワーノズル５、ハンドシャワーノズル３、ヘッドシャワーノズル４から選択して吐水することができる。つまり、使用者の好みによって吐水部や第２吐水部のユニットを選択して簡単に組み立てることができるのである。
【００２３】
次に、図５乃至図９を用いて、湯水混合部７と各吐水部の具体的な構成を説明する。
図５は、図３のＡ部分に相当するシャワー装置の側断面図を示している。
湯水混合部７は、サーモスタット混合栓の湯水混合部７と同様に構成されている。
給水管と給湯管の接続部１７、１８が上下方向（縦方向）にパイプ６に配置されている。
さらに、この湯水混合部７を長手方向が縦向きになるようにパイプ６内に配置している。
また、この湯水混合部７の外径とパイプ６との内径を略同一としている。そして、このパイプ６の全長の径をほぼ変えることなく、１本のパイプ６を形成している。
なお、１本のパイプ６とは、途中で継ぎ足しをしたものも含む。このシャワー装置１においては、各ユニット毎に構成し、それを各パイプ６に組み付け、それらのパイプ６をさらに縦方向に積み上げて１つのシャワー装置１を構成している。
【００２４】
さて、給水管および給湯管の接続部１７、１８から湯水は、黒矢印で示すように、湯水混合部７に送られて適温になり、さらに湯水混合部７の上方に位置する吐水部へと送られる。
なお、湯温調整は、湯水混合部の下方に設けた温度調整ハンドル８にを周方向に回転させて行なう。
図８は、湯と水が湯水混合部７に流れて混合され、各吐水部へ通水する通水経路を示している。
湯水混合部７の上方に位置する吐水部（ハンドシャワーノズル３、ヘッドシャワーノズル４、ボディシャワーノズル５）へはパイプ６の内部の通水部Ｂ、Ｃを経由して送られ、湯水混合部７の下側の吐水部（カラン２）へは、パイプ６裏に配置した通水部（通水管）Ａを経由して送られる。
なお、図３においては、カラン２を設けていないので、このカラン２への通水部Ａを塞いでおく。
図９は、サーモスタットによる自動温度調整機構の概略を示している。
図示するように、Ｎｉ−Ｔｉ合金などの形状記憶合金バネ２１とバイアスバネ２２との釣り合いにより、バルブ１９を制御して、湯水の混合比を調整している。
【００２５】
次に、吐水部について説明する。
吐水部は、カラン２、ハンドシャワーノズル３、ヘッドシャワーノズル４、ボディシャワーノズル５などから構成することができる。
まずカラン２について説明する。
図１に示すように、カラン２は、湯水混合部７の下方でかつシャワー装置１本体のパイプ６から前方に膨出するように設けている。
このカラン２の先端には、流量調整ハンドル９を有している。この流量調整ハンドル９に連動してシリンダ弁などの流量調整弁（図示せず）が開閉し、吐水・止水をおこなうことができる。
このようにカラン２の先端に流量調整ハンドル９を設けているため、風呂椅子に座って流量調整ハンドル９に楽な姿勢でアプローチしカラン２からの吐水を行なうことができる。
なお、このカラン２からの吐水の温度調整は、上方に設置した湯水混合部７にて行なわれる。
そして、湯水混合部７からの通水は、図４に示すように、パイプ６の裏側に配置した固定部１６内に設けた通水部（通水管）Ａにより行なう。
なお、このカラン２は、水平に膨出させても、斜めに膨出させてもよく、また、膨出させる長さも自由に変更してもよい。
【００２６】
次に、図６、７を用いて、湯水混合部７よりも上方に位置する吐水部（ボディシャワーノズル５とハンドシャワーノズル３とヘッドシャワーノズル４）について説明する。
まず、ボディシャワーノズル５について説明する。
ボディシャワーノズル５は、立った状態で、上半身の縦方向の広範囲に吐水を行なうためのものである。
そのため、図３に示すようにこのボディシャワーノズル５は、パイプ６の中間部である切替えハンドル１１とシャワーノズル用流量調整ハンドル１０との間の前方に上下に複数の吐水口５ａを形成することで構成されている。
図６には、湯水混合部７からの湯水がボディシャワーノズル５まで通水する通水部を示す。なお、白矢印がその流れ方向を示している。
図６（Ｂ）の横断面図に示すように、シャワーノズル用流量ハンドル１０（流量調整弁１０ａ）を回避してその外周に形成された通水部１０ｂを通って、ボディシャワー用流量調整ハンドル１４（流量調整弁１４ａ）に通水される。
なお、各流量調整弁１０ａ、１４ａは、シリンダ弁から構成されている。
そして、ボディシャワー用流量調整ハンドル１４（流量調整弁１４ａ）を経由して、ボディシャワーノズル５へと通水される。
【００２７】
次にボディシャワーの回転機構について、図１０を用いて説明する。ボディシャワー部は、ボディシャワー本体２４と、吐水口を形成しているボディシャワーノズル５と、カバー２５と、後方側に設けた通水部本体２６と、から、ユニットとして構成されており、このユニットをパイプ部２７に配置している。
ボディシャワー本体２４は、ハンドシャワーノズル３とヘッドシャワーノズル４に通じる通水部本体２６に形成した穴２８に嵌装され、パッキン２９により水密された状態で、回転自在に取り付けられている。
ボディシャワーノズル５は、散水板３０が、ガイド３１に嵌装され、カバー２５をボディシャワー部のパイプ部２７上に嵌め合わせた状態でボディシャワー本体２４に螺着されている。
また、このボディシャワー本体２４は下端に通水口を形成して内部には通水口から各ボディシャワーノズル５へ通じるボディシャワー用通水部を形成している。
つまり、ボディシャワーノズル５は、この通水口、ボディシャワー用通水部の軸を中心として周方向に回転可能に設けられている。
そして、ボディシャワー部を配置した部分のパイプ部２７を回転させると、カバー２５とガイド３１により、ボディシャワー部はパイプ部２７と連動してボディシャワー本体２４が、通水部本体２６の穴２８を支点にして、ボディシャワー本体２４の背面３２が通水部３３に当接するまで回転する。そのため、回転範囲はこの通水部によって規制されることになる。
なお、ここでは、ボディシャワーノズル５は、パイプ部２７内の上下方向に複数（ここでは３つ）配置している。
そのため、このパイプ部２７を回転させることにより、すべてのボディシャワーノズル５を一度に回転させることができる。なお、パイプ部２７を複数設け、各パイプ部２７に１つずつボディシャワーノズル５を配置して、ここに回転可能としてもよい。
【００２８】
図１１は、図１０のボディシャワーの機構に加え、ボディシャワーノズル部にノズル角度の微調整機構を加えたものである。図１０と同様の機能については説明を省略する。
図１１のノズル角度の微調整機構について説明する。
ボール散水板３４は、パッキン３５により水密され、バネ３６とボールガイド３７により、吐水方向に常に付勢された状態でガイド２５によりボディシャワー本体２４に螺着されている。ボール散水板３４の流入側は、球面で形成され、つまみ部３８を回すことにより回転し、ノズルの吐水角度を微調整することができる。
【００２９】
次に、ハンドシャワーノズル３とヘッドシャワーノズル４からの吐水について説明する。
図１乃至３に示すように、ハンドシャワーノズル３とヘッドシャワーノズル４は、切替えハンドル１１にて切り替える可能としている。
そして、シャワーノズル用流量調整ハンドル１０にて吐水流量を調整する。
このシャワーノズル用流量調整ハンドル１０は、湯水混合部７の上方に隣接して配置しているので、風呂椅子に座った状態でハンドシャワーノズル３からの吐水を行ないたい場合に、楽な姿勢でシャワーノズル用流量調整ハンドル１０を操作することができ、また、立った状態でも操作しやすい位置にある。
なお、ハンドシャワーノズル３は、パイプ６から膨出して設けたフック２３に引っ掛けておくことが可能である。
【００３０】
シャワー装置１本体のパイプ６の中間部における側方に分岐金具１２を設けて、この分岐金具１２にシャワーホース１３の一端を接続し、そのシャワーホース１３の他端をハンドシャワーノズル３に接続している。
このハンドシャワーノズル３には、複数の吐水形態が選択できるように吐水切替操作部を有している。また、ハンドシャワーノズル３には、止水・吐水を行なう操作ボタン３ａが握手部に設けられている。
【００３１】
一方、ヘッドシャワーノズル４は、シャワー装置１本体のパイプ６の上端に設けられいる。
なお、このヘッドシャワーノズル４は、パイプ６に対して、回転自在に配置してもよい。
また、ヘッドシャワーノズル４は、内部に大きく３つの吐水群１５を配置しており、この吐水群１５は、すべて同じ吐水形態としても、また、すべて異なる吐水形態としてもよい。
さらに、この吐水形態を１つずつ選択できるようにしてもよく、さらには、ここの吐水群の吐水方向を変えられるようにしてもよい。
【００３２】
なお、シャワー装置１本体のパイプ６の中間部（分岐金具１２を設けた場所）の前方に切替えハンドル１１を設けている。そして、この切替えハンドル１１により、ハンドシャワーノズル３とヘッドシャワーノズル４からの吐水の切替えを行なう。
そして、この切替えハンドル１１は、引っ張ることで、弁体１１ａが後から前に（図では左から右に）動き、通水経路を切り替えて、ハンドシャワーノズル３からヘッドシャワーノズル４へと吐水を切り替える構成となっている。そして、ダイバーター機構を用いることで、一旦止水したときには、必ずハンドシャワーノズル３から吐水するようにしている。これにより、パイプ６内に溜まった冷たい停滞水をヘッドシャワーノズル４から不用意に吐水するおそれがない。
この切替えハンドル１１のダイバーター機構について、図７に基づき説明する。
この切替えハンドル１１の引っ張ることでヘッドシャワーノズル４への通水状態とするが、このとき水圧がかかっているため、弁体１１ａはハンドシャワーノズル３の通水部を塞いだ状態（図では弁体が右側に位置した状態）で維持される。しかしながら、止水すると、水圧が下がり、ばね１１ｂの弾性力により、弁体１１ａが前から後ろへ（図では右から左へ）と動き通水部を切り替えられるのである。
【００３３】
次に、図６乃至７に基づき、ハンドシャワーノズル３とヘッドシャワーノズル４への通水部について説明する。
図６中の黒矢印がハンドシャワーノズル３とヘッドシャワーノズル４への通水部の流れを示している。まず、図５の湯水混合部７で適温となった湯水が図６の下方から流れてき、シャワーノズル用流量調整ハンドル１０に流れ込む。このシャワーノズル用流量調整ハンドル１０を操作させて、流量調整弁１０ａを開くことにより、この流量調整弁１０ａよりも上方へ位置している切替えハンドル１１まで通水する。
なお、図１６（Ｂ）の構造と同様に、ボディシャワー用流量調整ハンドル１４（流量調整弁１４ａ）を避けてその外周に通水部を形成し、さらにボディシャワーノズル５の後側に通水部１１ｄを形成して、切替えハンドル１１まで通水部を形成している。
図７は、ハンドシャワーノズル３へ通水されている状態である。黒矢印がハンドシャワーノズル３への通水部の流れである。また、白矢印は、ヘッドシャワーノズル４への通水部の流れである。
なお、図１乃至図３では、切替えハンドル１１の側方に分岐金具１２を設けているが、図７に示すように、切替えハンドル１１よりも上方に分岐金具１２を設けてもよく、また分岐金具１２をパイプ６の裏側に配置してもよい。
【００３４】
次に、このシャワー装置１の固定構造について説明する。
シャワー装置１本体のパイプ６は、上方と湯水混合部７で固定部１６により固定している。
上方の固定部１６は、分岐金具１２よりも上方として、壁に固定している。
湯水混合部７での固定部１６は、壁給水の場合は、接続部１７、１８を給水管および給湯管に接続することで行なう。また、床給水の場合は、上方の固定と同様の固定１６で壁に固定する。
【００３５】
なお、上述した湯水混合部は、サーモスタット機構を採用した例を挙げて説明したが、従来のシングルレバーカートリッジを逆さにして上述と同様にパイプ内に配置して、湯水混合部の下方に流量調整兼温度調整ハンドルを配置し、湯水混合部の上方に吐水部を配置してシャワー装置を構成してもよい。
【００３６】
【発明の効果】
以上により、一体感のある外観性を確保するとともにいろいろな吐水形態を楽しむことができ、さらにボディシャワーの吐水角度を立つ位置や、好みの位置に簡単に調整できる吐水装置を提供することができる。
【図面の簡単な説明】
【図１】本件発明の一実施の形態であるシャワー装置の外観図を示す。
【図２】図１のシャワー装置をカウンター上に設置した使用状態図を示す。
【図３】本件発明の他の実施の形態であるシャワー装置の外観図を示す。
【図４】図１の配管経路図を示す。
【図５】図３のＡ部分に相当するシャワー装置の側断面図を示す。
【図６】図３のＢ部分に相当するシャワー装置の側断面図を示す。
【図７】図３のＣ部分に相当するシャワー装置の側断面図を示す。
【図８】図５の湯水の流れを示す。
【図９】図５の湯水の温度調整機構を示す。
【図１０】ボディシャワー部の断面図を示す。
【図１１】ボディシャワー部（ノズル単独微調整機構付）の断面図を示す。
【符号の説明】
１　シャワー装置
２　カラン
３　ハンドシャワーノズル
４　ヘッドシャワーノズル
５　ボディシャワーノズル
６　パイプ
７　湯水混合部
８　温度調整ハンドル
９　カラン用流量調整ハンドル
１０　シャワーノズル用流量調整ハンドル
１１　シャワー切替えハンドル
１２　分岐金具
１３　シャワーホース
１４　ボディシャワー用流量調整ハンドル
１５　吐水口
１６　固定部
１７　給水管の接続部
１８　給湯管の接続部
１９　バルブ
２０　バイアスバネ
２１　形状記憶合金バネ
２２　カウンター
２３　フック
２４　ボディシャワー本体
２５　カバー
２６　背面通水部本体
２７　ボディシャワー部パイプ
２８　穴
２９　パッキン
３０　散水板
３１　ガイド
３２　底面
３３　通水部
３４　ボール散水板
３５　パッキン
３６　バネ
３７　ボールガイド
３８　つまみ部
【図１】
2004073328.tif 000003
【図２】
2004073328.tif 000004
【図３】
2004073328.tif 000005
【図４】
2004073328.tif 000006
【図５】
2004073328.tif 000007
【図６】
2004073328.tif 000008
【図７】
2004073328.tif 000009
【図８】
2004073328.tif 000010
【図９】
2004073328.tif 000011
【図１０】
2004073328.tif 000012
【図１１】
2004073328.tif 000013